(57)【要約】【課題】      長期間の雨水貯留による腐敗をなくして水処理の負荷の増大を簡便な手段で防止しうる手段を提供【解決手段】  上記課題は、底部に多孔体が設けられている雨水貯留槽を用いることによって、貯留槽内部の残存雨水を徐々に地中に浸透させることにより解決される。【選択図】        図１
2011122388.tif 000002
【特許請求の範囲】
【請求項１】
底部に多孔体が設けられている雨水貯留槽
【請求項２】
陶器製で底部に素焼部が多孔体として形成されている請求項１記載の雨水貯留槽
【請求項３】
地域雨水利用システムに用いられる請求項１又は２記載の雨水貯留槽
【発明の詳細な説明】
【技術分野】
【０００１】
本発明は、屋根雨水を貯留する雨水貯留槽に関するものである。
【背景技術】
【０００２】
屋根雨水を雨水貯留槽に集めて上水や中水などに利用する方法は種々開発されている。
例えば、特許文献１には、屋根などに降った雨水を雨樋から地下に設けた雨水貯留槽に溜め、この雨水貯留槽内に設けた水中ポンプで雨水タンクに送水して貯留できるシステムが開示されている。
【０００３】
特許文献２には、屋根などに降った雨水を集めて下の貯水槽に落し、これを浄化する雨水回収処理装置が開示されている。
【先行技術文献】
【特許文献】
【０００４】
【特許文献１】オーストラリア特許出願第２００７２３１８１２Ａ１号明細書
【特許文献２】特開平１０  −２１６７３４号公報
【発明の概要】
【発明が解決しようとする課題】
【０００５】
従来の屋根雨水を貯留する雨水貯留槽は、通常の貯水槽であり、常に残存雨水が残っていた。そこで、晴天が長期間継続すると雨水貯留槽内の残存雨水が腐敗して、アンモニア性窒素やＣＯＤ成分の濃度が増加し、水処理の負荷が増大するという問題があった。
【０００６】
本発明の目的は、長期間の雨水貯留による腐敗をなくして水処理の負荷の増大を簡便な手段で防止しうる手段を提供することにある。
【課題を解決するための手段】
【０００７】
本発明は、上記課題を解決した雨水貯留槽を提供するものであり、雨水貯留槽の底部を多孔体で形成することによって長期間残留する雨水は地中に浸み込ませて除去し、これによって課題を解決したものである。
【０００８】
すなわち本発明は底部に多孔体が設けられている雨水貯留槽を提供するものである。
【発明の効果】
【０００９】
本発明の雨水貯留槽を用いることにより、長期間雨が降らなかった場合には、貯留槽内の残留雨水が多孔体を徐々に通過して地中に浸み込むため、貯留槽内に長期間残留する雨水がなくなり、雨水の腐敗問題を解決できる。
【図面の簡単な説明】
【００１０】
【図１】本発明の一実施例である雨水貯留槽の断面図である。
【図２】その底部付近の拡大部分断面図である。
【図３】本発明の別の実施例である雨水貯留槽の底部付近の拡大部分断面図である。
【図４】本発明のさらに別の実施例である雨水貯留槽の底部付近の拡大部分断面図である。
【図５】地域雨水を集水して水処理する例を示す系統図である。
【図６】透水性の異なる３種の素材について、水位の低下を経時的に示すグラフである。
【発明を実施するための形態】
【００１１】
本発明の雨水貯留槽は雨水を集水して利用するシステムにおいて各戸の屋根雨水を貯留するものであり、形状は特に制限されないが、通常、円筒形、箱形等である。底部も平面の外、ボウル状、スリ鉢状等であってもよい。容積は屋根の面積や地域の降雨量等によるが、通常１〜１０ｍ３程度である。材質も特に限定されないが、例示すれば、陶器、コンクリート、ガラス、ステンレススチール等の金属等、である。
【００１２】
構造は密閉式でもかまわないが、内部清掃等の便宜から蓋を設けて開閉できる構造とするのがよい。蓋は貯留槽上面全体を覆うものでもよく、開口面を上面の一部としてその部分を覆うものでもよい。この貯留槽には、雨水の入口と出口が設けられる。入口の位置は問わないが、出口は貯留雨水を有効利用するために底部あるいはその近傍に設けるのがよい。そのほか、必要により、水位センサー等が設置され、また、ポンプを内設することもできる。
【００１３】
本発明の雨水貯留槽は、底部に多孔体を設けたことに特徴がある。この多孔体は、貯留した雨水を相当期間保持する一方で、徐々に地中に浸透させるものであり、例えば素焼きのセラミック、煉瓦、焼結ガラス（ガラスフィルター）、焼結金属（金属フィルター）、精密濾過や限外濾過などに使用される有機、無機の濾過材料あるいは微粒子をバインダで固めたもの、発泡性のプラスチック等などを用いることができる。
【００１４】
多孔体の孔径や厚みは、要は貯留した雨水の保持と浸透の関係で定められ、透水速度が貯留槽胴部の水面で１〜２０ｍ／日（水位１ｍにおける値）程度となるようにするのがよい。透水速度が２０ｍ／日より大きいと雨水を一定期間貯留することができず、例えば水深４ｍの貯留槽では約５時間で貯留量の全量が地下浸透するため、利用できる雨水の比率を高めるためには大流量の送水ポンプを設置する必要がある。一方、透水速度が１ｍ／日より小さいと雨水の排出に長時間を要し、例えば送水ポンプによる排出後の水位が０．３ｍである場合は残留水の透水にほぼ４日を要するため、特に夏季には残留水の腐敗が生じる懸念がある。この多孔体は雨水貯留槽の底面全体に設けてもよく、底面の一部でもよく、一部側壁にかかってもよい。
【００１５】
本発明の雨水貯留槽において多孔体を設ける方法としては、陶器の場合には、底部には釉薬を塗布しないで素焼きにする方法があり、ガラスや金属の焼結体の場合には周縁部を貯留槽本体の側壁下縁等に溶着させる方法がある。貯留槽本体の底部に周溝を設けて多孔板をそこに嵌め込んでもよい。その際、嵌込部には適宜シール材を設けることができる。底部に支持ネット等の支持部材を設けて濾過材料を支承させることもできる。
【００１６】
本発明の雨水貯留槽は、地下に埋設するほか、底面が地面に接していれば地上に設置することもできる。
【００１７】
本発明の雨水貯留槽は、地域に降雨した雨水を有効利用するシステムに用いるべく開発されたものである。その一部を図５に示す。同図に示すように、各戸の屋根に降った雨水は、本発明の雨水貯留槽に貯えられ、そこから水処理装置の貯留タンクに集められて水処理装置により上水や中水が製造される。
【実施例】
【００１８】
本発明の一実施例である雨水貯留槽を地下に設置した状態を図１に、その底部拡大図を図２に示する。この雨水貯留槽は、平底の円筒形をしており、上面は全体が開口されて蓋が設置されている。そして側面上部には雨水流入管と抜出管が接続されている。この雨水貯留槽は、陶器製で、図２に示すように、側面には両側とも釉薬が塗布されているが底面には塗布されずに素焼面になっている。
【００１９】
本発明の別の実施例の雨水貯留槽の底部拡大図を図３に示す。この雨水貯留槽の全体形状は図１と同じであり、材質はガラス製で底部には焼結ガラス板が用いられて側壁下端周縁に溶接されている。
【００２０】
本発明のさらに別の実施例の雨水貯留槽の底部拡大図を図４に示す。この雨水貯留槽の全体形状は図１と同じであり、材質はステンレススチール製で、側壁下端内面には周溝が設けられ、そこにシール材を介して焼結ステンレススチール板が嵌め込まれている。
【００２１】
図６は透水速度が１，５，２０ｍ／日（水位１ｍにおける値）の３種の素材を底面に用いた場合の、雨水の浸透に伴う水位の低下の様子を初期水位３０ｃｍの場合において調査したものである。この図に見られるように透水速度を１ｍ／日とした場合には水位がほぼ０ｃｍとなるまでに約４日間を要しており、これ以上期間を要すると水の腐敗の懸念がある。また、透水速度が２０ｍ／日の場合には３時間で水位がほぼ０ｃｍとなることから、これ以上透水速度が高いと水の貯留機能が損なわれる懸念がある。
【産業上の利用可能性】
【００２２】
本発明の雨水貯留槽は、長期に雨が降らなかった場合に内部に水が残らないので雨水を腐敗等の問題なく集水でき、各種の雨水利用システムに用いることができる。
【図１】
2011122388.tif 000003
【図２】
2011122388.tif 000004
【図３】
2011122388.tif 000005
【図４】
2011122388.tif 000006
【図５】
2011122388.tif 000007
【図６】
2011122388.tif 000008